(57)【要約】    【課題】  引き戸が不意にスライドしても手摺の利用者が怪我をする恐れがなく、快適かつ安全に使用できる戸袋の構造を提供する。    【解決手段】  間仕切壁に形成された開口部を開閉する引き戸と、前記開口部に隣接して形成されるとともに間仕切壁の一方側に向いて開放し、前記開口部からスライドした前記引き戸を収容する戸袋と、間仕切壁の前記一方側で略腰高さに取り付けられ戸袋の前面まで連続してのびる手摺とを具え、前記戸袋は、手摺との間に、戸袋内へ出入りする引き戸との間を遮断する安全カバーが設けられることを特徴とする。【選択図】  図１
2007032111.tif 000002
【特許請求の範囲】
【請求項１】
間仕切壁に形成された開口部を開閉する引き戸と、前記開口部に隣接して形成されるとともに間仕切壁の一方側に向いて開放し、前記開口部からスライドした前記引き戸を収容する戸袋と、間仕切壁の前記一方側で略腰高さに取り付けられ戸袋の前面まで連続してのびる手摺とを具え、
前記戸袋は、手摺との間に、戸袋内へ出入りする引き戸との間を遮断する安全カバーが設けられることを特徴とする戸袋の構造。
【請求項２】
前記安全カバーは、戸袋の全体を覆う戸袋被覆板により形成され、
前記戸袋被覆板は、上部が上の固着具を介して間仕切壁の戸袋上部に固着されるとともに、下部が下の固着具を介して床面に固着され、
前記下の固着具は、固着箇所を明示するキャップにより覆われることを特徴とする請求項１記載の戸袋の構造。
【請求項３】
前記戸袋被覆板は、縦枠材、横枠材を矩形状に枠組みした外周枠に面材を添設したパネル体により構成され、
前記手摺の先端部は、パネル体の縦枠材に取り付けられることを特徴とする請求項１又は２記載の戸袋の構造。
【請求項４】
前記手摺の先端部は、戸袋の開口部寄りで、間仕切壁の戸袋上部と、床面との間に取り付けられて上下にのびる縦フレームに固着され、
前記安全カバーは、手摺と戸袋の間に配置された横長の保護帯板により形成されることを特徴とする請求項１記載の戸袋の構造。
【発明の詳細な説明】
【技術分野】
【０００１】
本発明は、高齢者或いは身体に障害を持った非健常者が、日常活動において安全な歩行を確保できる戸袋の構造に関する。
【背景技術】
【０００２】
ユニバーサルデザインの普及に伴ない、建物内外の要所に使い勝手を高めた手摺を設けることが行われている。特に、グループホーム、介護施設など多くの高齢者が生活し、或いは活動する建物では、トイレ、浴室、出入り口は勿論、廊下に沿って手摺を連続して取り付け、安全かつ快適な活動ができるよう配慮されている。
【０００３】
またこれらの建物においては、開閉動作の安全性、緊急時における介護の作業性、車椅子による移動の利便性を考慮して、居室への出入り口、その他の間仕切開口部には、ドアに替えて引き戸が多用されている。
【０００４】
そして更に安全性を一層向上させるため、前記スライドする引き戸の設置箇所においても、手摺を取り付ける構造が種々工夫されている。例えば図５に示すように、互いにスライド可能に設けられた一対の引き戸ａ、ａの一方に、大径で円筒状の大の手摺ｂをブラケットｄにより固着し、他方の引き戸ａに前記大の手摺ｂの内部に挿入されうる小の手摺ｅを固着した引き戸の構造が提案されている（例えば、特許文献１参照）。そして、引き戸ａの開閉時、大の手摺ｂと小の手摺ｅとは自在に伸縮することにより、引き戸ａ、ａに沿うとともに、隣接する壁手摺ｈに連続した手摺体ｇが構成され、引き戸ａの前においても手摺を持って歩行できるよう形成されている。
【０００５】
【特許文献１】特開平１０−９６３７５号公報
【発明の開示】
【発明が解決しようとする課題】
【０００６】
しかしながら、使用者が手摺体ｇを持って歩行中に、反対側からの操作によって、突然引き戸ａがスライドする場合、使用者が体重を預けている手摺体ｇが不意に動くため、直立姿勢が急に不安定となって転倒する危険性がある。また、前記大の手摺ｂと、小の手摺ｅの摺動部に手、指などを挟まれて裂傷を生じる恐れがあり、或いは、手摺体ｇを持っている手、腕のすぐ横を引き戸ａがスライド移動するため、その先端が人体に衝突して打撲を負わせる危険性もある。
【０００７】
本発明は、戸袋は、手摺との間に、戸袋内へ出入りする引き戸との間を遮断する安全カバーを設けることを基本とし、引き戸が不意にスライドしても手摺の利用者が怪我をする恐れがなく、快適かつ安全に使用できる戸袋の構造の提供を課題としている。
【課題を解決するための手段】
【０００８】
前記目的を達成するために、請求項１に係る発明では、間仕切壁に形成された開口部を開閉する引き戸と、前記開口部に隣接して形成されるとともに間仕切壁の一方側に向いて開放し、前記開口部からスライドした前記引き戸を収容する戸袋と、間仕切壁の前記一方側で略腰高さに取り付けられ戸袋の前面まで連続してのびる手摺とを具え、前記戸袋は、手摺との間に、戸袋内へ出入りする引き戸との間を遮断する安全カバーが設けられることを特徴とする。
【０００９】
請求項２に係る発明においては、前記安全カバーは、戸袋の全体を覆う戸袋被覆板により形成され、前記戸袋被覆板は、上部が上の固着具を介して間仕切壁の戸袋上部に固着されるとともに、下部が下の固着具を介して床面に固着され、前記下の固着具は、固着箇所を明示するキャップにより覆われることを特徴とする。
【００１０】
請求項３に係る発明では、前記戸袋被覆板は、縦枠材、横枠材を矩形状に枠組みした外周枠に面材を添設したパネル体により構成されるとともに、前記手摺の先端部は、パネル体の縦枠材に取り付けられ、また請求項４に係る発明においては、前記手摺の先端部は、戸袋の開口部寄りで、間仕切壁の戸袋上部と、床面との間に取り付けられて上下にのびる縦フレームに固着され、前記安全カバーは、手摺と戸袋の間に配置された横長の保護帯板により形成されることを特徴とする。
【発明の効果】
【００１１】
請求項１に係る発明においては、間仕切壁の一方側に取り付けられた手摺は、引き戸の戸袋の前面にまでのびて形成されるため、開口部においても手摺が大きく途切れるとなく形成されて、手摺使用者の歩行の安全性、快適性が確保できる。手摺と、戸袋内へ出入りする引き戸との間には安全カバーが設けられ、手摺使用者が指つめ、裂傷などのけがを防止できて安全で、しかも安心して使用できる。
【００１２】
請求項２に係る発明においては、戸袋被覆板は、戸袋全体を覆うものの、戸車、レールその他のメンテナンスを行う際など、引き戸を取り外す時には、戸袋被覆板の下部を固着する下の固着具は、固着箇所を示唆するキャップによりカバーされため、戸袋被覆板の取り外し作業を効率的に行えて、引き戸のメンテナンス作業を迅速になしうる。また請求項３に係る発明では、手摺の先端部は、戸袋被覆板の縦枠材に取り付けるため、手摺を安定して支持できるとともにその取り付け作業を効率的に行える。
【００１３】
請求項４に係る発明では、手摺先端部は、上部を間仕切壁の戸袋上部に、下部を床面に取り付けられた縦フレームに固着されるため、支持強度が安定する。さらに手摺利用者の手は、安全カバーにより引き戸のスライド動作から分離され保護されるため、安全にかつ安心して使用できる。
【発明を実施するための最良の形態】
【００１４】
以下、本発明の実施の一形態を、図示例とともに説明する。図１に示すように、戸袋の構造１は、間仕切壁２に形成された開口部３を開閉する引き戸４と、前記引き戸４を収容する戸袋５と、間仕切壁２に設けられた手摺６とを具える。
【００１５】
前記間仕切壁２は、居室と廊下との間、或いは居室と居室と間などに配置され、本形態では、図１に示すように、例えばグループホームなどの介護施設において、各入居者の個室である居室２１と、この居室相互および、ロビー、ダイニングルーム、トイレ、浴室など共用部分とを結ぶ廊下２２の間に形成されたものが例示される。
【００１６】
前記開口部３は、前記間仕切壁２に、高さが例えば１８００〜２４００ｍｍ程度、巾が１２００〜２０００ｍｍ程度の大きさで形成され、本形態では、前記居室２１から廊下２２への出入り口として構成されたものが例示される。
【００１７】
前記戸袋５は、前記間仕切壁２の開口部３の隣に配置し、本形態では、間仕切壁２の廊下側が凹設されることによって構成され、かつ前記開口部３と略同じ高さ、巾を有する凹部により構成されたものを例示している。そして、前記開口部３の上部、および戸袋５の上部に亘り連続する開口上枠２３が取り付けられ、さらに該開口上枠２３の両端から縦枠３８、３８が垂下して形成される。
【００１８】
前記引き戸４は、矩形板状をなし、前記開口部３と前記戸袋５との間をスライド可能に形成され、これにより前記開口部３を開閉できる。本形態の引き戸４は、図２に示すように、その上端部の戸先側及び戸尻側に車輪２６を有する吊り戸車金具２７が取り付けられ、開口部３及び戸袋５の上部に連続して取り付けられた吊りレール２４に支持される吊り戸の場合が例示される。前記吊りレール２４は、逆Ｌ字状のレール基体２４Ａと、このレール基体２４Ａの縦フランジの下端部から鍵型に折れ曲がる受け片２４Ｂとからなり、レール基体２４Ａを開口部３及び戸袋５の上枠材２５にビスなどの固着具（図示せず）により取り付けられる。
【００１９】
吊りレール２４の前記受け片２４Ｂに、引き戸４上部の吊り戸車金具２７が走行可能に係合して、前記引き戸４は、開口部３と戸袋５との間を移動可能に支持される。なお引き戸４下端面には、図３に示すように、その中央に引き戸４の巾方向にのびる溝３９が形成され、前記戸袋５の下部で開口部３寄り床面１１上に立設されたピン２８が前記溝３９に係合することにより、引き戸４の横揺れが抑制され、スムースなスライド移動が確保される。また本形態の引き戸４は、戸先側の中位にコ字状の引手２９が取り付けられる。
【００２０】
引き戸４は、本形態では、縦フレーム材、横フレーム材を矩形状に枠組みした外周枠の内側に補強桟を架け渡し形成された木製のパネルフレームの両側に、化粧板を貼着したフラッシュパネルにより構成されたものが例示される。またフラッシュパネルのほか無垢木材、修正木材を枠状に加工し組立てた框組みの構造とすることもよい。更には、鋼板を折り曲げて形成し、又はプラスチック、アルミニウムの押出し成形材を組立てて形成することもできる。
【００２１】
前記戸袋５は、その前面に安全カバー７が設けられる。そして本形態の安全カバー７は、図１に示すように、戸袋５全体を覆う戸袋被覆板８により形成され、前記戸袋被覆板８は、縦枠材１３、横枠材１４を矩形状に枠組みして形成された外周枠１５に面材１６を添設したパネル体１７により構成される。
【００２２】
前記戸袋被覆板８の上部は、図１、２に示すように、Ｚ字状の取付金具３１からなる上の固着具９を用いて戸袋５の上部の間仕切壁２に固着される。そして前記上の固着具９はそのまま露呈した状態で放置されるが、目立たない位置にあるため外観を損ねることがなく、反対に前記吊りレール２４、吊り戸車金具２７など可動部のメンテナンスの際に取り外し箇所が解かり易い点で好ましい。
【００２３】
前記戸袋被覆板８の下部は、図１、３に示すように、床面１１に対してＬ字状の取付金具３２からなる下の固着具１０を用いて固着される。そして前記戸袋被覆板８は、下の固着具１０による固着箇所の直ぐ上に小穴３３が形成されるととも、前記固着箇所は、キャップ１２により被覆される。前記キャップ１２は、垂直な薄板状をなすとともに裏面に弾性突起３４が突設され、該弾性突起３４を前記小穴３３に嵌合することにより、固着箇所を覆いながら取り付けられる。また前記キャップ１２は、材質、色、光沢など戸袋被覆板８の外観と少しことなる外観に形成され、そのため該キャップ１２によって固着箇所が示唆される。その結果、前記可動部のメンテナンスの際に戸袋被覆板８の取り外しを迅速に行うことができ、作業性を高めることができる点で好ましい。
【００２４】
前記戸袋被覆板８の外周枠１５は、杉、松、樅、栂などの針葉樹、およびナラ、チーク、ラワンなどの広葉樹を含む無垢木材、集成材、ＬＶＬ（単板積層材）などの木質加工棒材の他、ポリエチレン樹脂、ポリプロピレン樹脂、ポリスチレン樹脂、フェノール樹脂、不飽和ポリエステル樹脂などのプラスチック材料、炭素鋼、ステンレス鋼、合金鋼を含む鉄鋼材料、またはアルミニウム、真鍮などの金属材料を用いて形成される。また前記面材１６は、合板、パーティクルボード、インシュレーションボード、ＭＤＦ（中密度繊維板）などの木質加工板材、前記と同様のプラスチック材料、金属材料などを用いて形成される。
【００２５】
前記手摺６は、腰高さで水平に配された棒状体をなし、専用ブラケット３０を用いて前記間仕切壁２に、５０〜２００ｍｍ程度の隙間を隔てて取り付けられ、前記戸袋５の前面に水平にのびて形成される。本形態の手摺６は、その開口部３側の端部は、湾曲したＬ字状のブラケット３５を介して前記戸袋被覆板８を構成するパネル体１７の縦枠材１３に固着されている。そのため、戸袋５の前面を開口部３へ向けてのびる手摺６の先端部が確りして支持できるため、手摺６は体重を掛けても揺れることもなく安定した強度を維持できる。しかも縦枠材１３に対するブラケット３５の取付作業は、容易に行えるため、作業能率も向上する。
【００２６】
また前記の如く取り付けされた手摺６は、戸袋５の前面をのびて開口部３の近傍まで取り付けされる。そのため、開口部３の部分では途切れるものの、それ以上の中断はなく取付できるため、手摺使用者の歩行の安全性が確保されるとともにユニバーサルデザインが実現された快適な空間が形成できる。しかも戸袋５内に出入りする引き戸４との間に、戸袋被覆板８からなる安全カバー７が設けられて遮断されている。そのため、手摺６につかまりながら使用者が歩行中に、不意に引き戸４が開閉しても、引き戸４の先端などが前記歩行者の手などに当たって怪我をさせることがなく、安全にかつ引き戸４の動作箇所が安全カバー７によって分離されるため安心して使用できる。
【００２７】
図４は他の実施形態を例示している。以下異なる内容について説明し、それ以外は図中に表れた主要構成に同じ符号を付すだけとする。本形態では、上端部をＬ字状の取付金具３６を介して間仕切壁２に固着するとともに、下端部に設けた円盤状の端板４０が床面１１に固着されることにより、戸袋５の開口部３寄りに上下にのびる縦フレーム１８が立設される。専用ブラケット３０を用いて前記間仕切壁２に取り付けられた手摺６は、その開口部３寄りの端部が、連結金具３７を介して前記縦フレーム１８の中位に取り付けらる。このように手摺６先端部が縦フレーム１８に固着されるため、手摺６の支持強度が安定する点で好ましい。
【００２８】
また、前記戸袋５と手摺６との間に横長の保護帯板１９が配置される。この保護帯板１９は、開口部３寄り側部が前記縦フレーム１８に固着されるとともに、他側部が前記戸袋５の一側に設けられた縦枠３８に固着される。このように、手摺６を利用する使用者の手が保護帯板１９によって引き戸４のスライド動作箇所から分離されるため、手が滑ったり、手摺６を握り損ねる等しても使用者の手が引き戸４に当たって怪我をすることが防止され、安心して使用できる点で好ましい。なお本形態では、前記保護帯板１９により安全カバー７が形成される。
【００２９】
前記保護帯板１９は、杉、松、樅、栂などの針葉樹、およびナラ、チーク、ラワンなどの広葉樹を含む無垢木材、合板、パーティクルボード、インシュレーションボード、ＭＤＦ（中密度繊維板）などの木質加工板材、或いはリサイクル木粉にポリプロピレン樹脂、ポリエチレン樹脂などを配合して押出、射出成形した人工木材、又はポリエチレン樹脂、ポリプロピレン樹脂、ポリスチレン樹脂、フェノール樹脂、不飽和ポリエステル樹脂などのプラスチック材料、炭素鋼、ステンレス鋼、合金鋼を含む鉄鋼材料、またはアルミニウム、真鍮などの金属材料を用いて形成される。
【００３０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３１】
【図１】本発明の一実施の形態を例示する一部分解斜視図である。
【図２】その縦断面図である。
【図３】その要部拡大図である。
【図４】他の実施形態を例示する斜視図である。
【図５】従来例の斜視図である。
【符号の説明】
【００３２】
１      戸袋の構造
２      間仕切壁
３      開口部
４      引き戸
５      戸袋
６      手摺
７      安全カバー
８      戸袋被覆板
９      上の固着具
１０      下の固着具
１１      床面
１２      キャップ
１３      縦枠材
１４      横枠材
１５      外周枠
１６      面材
１７      パネル体
１８      縦フレーム
１９      保護帯板
【図１】
2007032111.tif 000003
【図２】
2007032111.tif 000004
【図３】
2007032111.tif 000005
【図４】
2007032111.tif 000006
【図５】
2007032111.tif 000007